(57)【要約】【課題】音声の再生速度を変更可能にした警報器を提供する。【解決手段】監視領域の異常を検出する火災検出手段５と、監視領域において異常が検出されたことを報知するための音声データが記憶される音声データメモリ１５ａと、音声データを再生して出力する音声出力手段（１１、１５）と、音声出力停止スイッチ８の操作に基づいて、音声出力手段（１１、１５）による音声データの再生速度を設定する再生速度設定手段（１２、１３ｃ〜１３ｅ）と、火災検出手段５が監視領域の火災を検出したときに、再生速度設定手段によって設定された再生速度に基づいて音声データを再生させべく音声出力手段（１１、１５）を制御するマイコン１２とを有する。【選択図】図１
2010224910.tif 000002
【特許請求の範囲】
【請求項１】
監視領域の異常を検出する異常検出手段と、
前記監視領域において異常が検出されたことを報知するための音声データが記憶される記憶手段と、
前記音声データを再生して出力する音声出力手段と、
操作部の操作に基づいて、前記音声出力手段による音声データの再生速度を設定する再生速度設定手段と、
前記異常検出手段が監視領域の異常を検出したときに、前記再生速度設定手段によって設定された再生速度に基づいて前記音声データを再生させべく前記音声出力手段を制御する制御手段と、
を有することを特徴とする警報器。
【請求項２】
前記操作部は、前記音声出力手段による音声出力を停止するために操作される音声出力停止スイッチが用いられることを特徴とする請求項１記載の警報器。
【請求項３】
前記再生速度設定手段は、前記音声出力停止スイッチの操作時間又は操作回数に応じて、前記音声データの再生速度を複数段階に切り替えて変更できることを特徴とする請求項２記載の警報器。
【請求項４】
前記再生速度設定手段は、警報器の電源投入時に、前記音声出力停止スイッチが操作されると、前記音声データの再生速度をデフォルトから所定の再生速度に切り替えて変更することを特徴とする請求項２記載の警報器。
【請求項５】
前記制御手段は、異常が検出されていない状態で前記音声出力停止スイッチが操作されると、前記再生速度設定手段に設定された再生速度で音声データを再生させることを特徴とする請求項２〜４の何れかに記載の警報器。
【請求項６】
前記再生速度設定手段は、前記音声出力停止スイッチの操作により、前記音声データの再生速度を、設定されている再生速度からデフォルトに戻すことが可能であることを特徴とする請求項２〜５の何れかに記載の警報器。
【発明の詳細な説明】
【技術分野】
【０００１】
本発明は、警報器に関し、特にその警報音の再生速度の制御に関する。
【背景技術】
【０００２】
従来から、警報器の一例として監視領域の異常、例えば火災を検出して火災警報音を鳴動する火災警報器が利用されており、これは、特に戸建の住宅に適している。このような火災警報器では、火災警報音として、従来はブザー音が用いられていたが、居住者が内容を理解しやすいように、近年は音声を利用する傾向が高まっている（例えば、特許文献１参照）。
【先行技術文献】
【特許文献】
【０００３】
【特許文献１】実開平０５−０９２８９２号公報
【発明の概要】
【発明が解決しようとする課題】
【０００４】
ところで、居住者としては、若者から高齢者までの幅広い年齢の人が対象として考えられるが、警報器における音声再生速度は一定の速度に固定されている。そのため、例えば、高齢者にとっては音声が早くて聞き取りづらいというようなことも考えられるが、現状では、所望の音声再生速度に変更することができなかった。
【０００５】
本発明は、上記の問題点を解決するためになされたものであり、音声の再生速度を変更可能にした警報器を提供することを目的とする。
【課題を解決するための手段】
【０００６】
本発明に係る警報器は、監視領域の異常を検出する異常検出手段と、前記監視領域において異常が検出されたことを報知するための音声データが記憶される記憶手段と、前記音声データを再生して出力する音声出力手段と、操作部の操作に基づいて、前記音声出力手段による音声データの再生速度を設定する再生速度設定手段と、前記異常検出手段が監視領域の異常を検出したときに、前記再生速度設定手段によって設定された再生速度に基づいて前記音声データを再生させべく前記音声出力手段を制御する制御手段とを有する。
【０００７】
本発明に係る警報器において、前記操作部は、前記音声出力手段による音声出力を停止するために操作される音声出力停止スイッチが用いられる。
【０００８】
本発明に係る警報器において、前記再生速度設定手段は、前記音声出力停止スイッチの操作時間又は操作回数に応じて、前記音声データの再生速度を複数段階に切り替えて変更できるものである。
【０００９】
本発明に係る警報器において、前記再生速度設定手段は、警報器の電源投入時に、前記音声出力停止スイッチが操作されると、前記音声データの再生速度をデフォルトから所定の再生速度に切り替えて変更するものである。
【００１０】
本発明に係る警報器において、前記制御手段は、異常が検出されていない状態で、前記音声出力停止スイッチが操作されると、前記再生速度設定手段に設定された再生速度で音声データを再生させるものである。
【００１１】
本発明に係る警報器において、前記再生速度設定手段は、前記音声出力停止スイッチの操作により、前記音声データの再生速度を設定されている再生速度からデフォルトに戻すことが可能である。
【発明の効果】
【００１２】
本発明に係る警報器は、上記の構成からなる異常検出手段、記憶手段、音声出力手段、再生速度設定手段及び制御手段を備えており、操作部の操作に基づいて設定された再生速度に基づいて音声データを再生することが可能になっており、ユーザーは音声の再生速度を任意に変更することができる。
【００１３】
本発明に係る警報器において、操作部は、前記音声出力手段による音声出力を停止するために操作される音声出力停止スイッチを音声速度調節用としても利用しており、部品点数を増加させる必要がなく、簡易な構成とすることができる。
【００１４】
本発明に係る警報器において、再生速度設定手段は、警報器の電源投入時に、前記音声出力停止スイッチが操作されると、音声データの再生速度をデフォルトから所定の再生速度に切り替えて変更するようにしており、ユーザーは、警報器の電源投入時に、簡単にデフォルトを所定の再生速度に変更することが可能になっている。
【００１５】
本発明に係る警報器において、制御手段は、異常が検出されていない状態で、音声出力停止スイッチが操作されると、再生速度設定手段に設定された再生速度で音声を再生するようにしており、ユーザーは、スイッチ操作によって、現在設定されている再生速度を簡便に確認することができる。或いは、ユーザーは、音声データの再生速度を切り替えたときに、再生音声を確認することができる。
【００１６】
本発明に係る警報器において、前記再生速度設定手段は、前記音声出力停止スイッチの操作により、前記音声データの再生速度を設定されている再生速度からデフォルトに戻すことが可能である。このため、再生速度をデフォルトに簡単に戻すことできる。
【図面の簡単な説明】
【００１７】
【図１】本発明の実施の形態に係る火災警報器の内部回路を示す回路構成図である。
【図２】図１の火災警報器のメイン動作を示すフローチャートである。
【図３】図２のスイッチ入力判定の処理を示すフローチャートである。
【図４】図２の火災監視の処理を示すフローチャートである。
【図５】図２の監視結果出力の処理を示すフローチャートである。
【発明を実施するための形態】
【００１８】
実施の形態．
警報器には、火災警報器やガス漏れ警報器など、様々なものが存在する。また、火災警報器にも、発光素子及び受光素子によって煙を検出する火災警報器、感熱素子によって熱を検出する火災警報器、及び焦電素子により炎を検出する火災警報器等、様々な火災警報器が存在する。本実施の形態では、感熱素子であるサーミスタによって熱を検出する火災警報器に本発明を適用した場合を例に説明する。
【００１９】
図１は、本実施の形態に係る火災警報器１００の主要な内部回路を示す回路構成図である。
火災警報器１００は、電池１と、火災検出部５と、マイクロコンピューター（以下、マイコンという）１２と、音声合成回路１５及びスピーカ１１を有する音声出力手段とを主要構成要素とする。
【００２０】
（マイコン）
マイコン１２は、各種フラグやデータを格納する記憶部１３と、タイマ部１４とを備え、図示しないＣＰＵにより火災警報器１００の動作を制御する。マイコン１２（又はＣＰＵ）は本発明の制御手段に相当する。
【００２１】
記憶部１３は、例えばＥＥＰＲＯＭなどの書換え可能な不揮発性メモリで構成される。記憶部１３は、火災が検出されたらセットされる火災フラグ１３ａ、後述の音声出力停止スイッチ８の操作によりセットされる火災音声停止フラグ１３ｂ、警報音の再生速度に応じてセットされる定速フラグ１３ｃ、低速フラグ１３ｄ及び超低速フラグ１３ｅを備えている。なお、記憶部１３及びＣＰＵ（図示せず）は本発明の再生速度設定手段に相当する。
【００２２】
タイマ部１４は、５分間タイマ１４ａを備えている。５分間タイマ１４ａは、音声出力停止スイッチ８が操作されてからの時間をカウントするタイマである。
【００２３】
（電源）
電池１は例えばリチウム電池から構成されており、定電圧回路４を介してマイコン１２等に常時電力を供給する電源である。電池１は、定電圧回路４を介することにより、マイコン１２に安定した電力を供給することができる。
【００２４】
（火災検出部）
火災検出部５は、サーミスタ６及び抵抗７からなる熱式の火災検出部であり、本発明の異常検出手段に相当する。サーミスタ６及び抵抗７は直列に接続され、これらの両端には定電圧回路４を介して電池１から定電圧が印加されている。また、サーミスタ６の先端部は、火災警報器１００の筐体の表面近傍に設けられている。これにより、火災時の熱をサーミスタ６に伝達しやすくしている。
【００２５】
マイコン１２には、サーミスタ６と抵抗７とによって抵抗比分割した電圧（検出電圧値）が入力されている。サーミスタ６は温度により抵抗値が変化するため、火災時にサーミスタ６が加熱されると、サーミスタ６と抵抗７との間の電圧値が変化する。マイコン１２は、このサーミスタ６と抵抗７との間の電圧値が例えば火災レベル以上になると、火災が発生したと判断し、マイコン１２が記憶部１３の火災フラグ１３ａをセットする。
【００２６】
なお、サーミスタ６には、（ａ）温度上昇により抵抗値が上昇するタイプ、（ｂ）温度上昇により抵抗値が下降するタイプの２タイプがあるが、ここでは、（ｂ）タイプのものが使用されている。この（ｂ）タイプのサーミスタ６の検出電圧値が火災検出用閾値（例えば２Ｖ）以上となれば火災と判断される。
【００２７】
（音声出力手段）
火災警報器１００は、音声合成回路１５とスピーカ１１とを備えた音声出力手段を有する。音声合成回路１５は、音声データメモリ１５ａを備えている。音声データメモリ１５ａは、スピーカ１１から出力する音声データが格納されたメモリであり、例えばＲＯＭで構成される。音声データメモリ１５ａには、火災警報器１００が火災を検出した際に出力する火災音声、火災警報器１００の使用期限が満了したことを示す使用期限満了音声、点検結果が正常であったことを示す点検正常音声、点検結果が異常であったことを示す点検異常音声、火災警報器１００の使用経過時間及び使用可能時間を音声出力するための音声等の各種の音声データが格納されている。そして、この音声データは、例えば８ｋＨｚで録音された音声データから構成されている。定速で音声を再生させる場合は、1/8kHz=125μs周期で音声データを再生する。低速、超低速で音声を再生させる場合は、例えば、125μs→130μs、135μsなど再生する周期を延ばして、音声を通常よりもゆっくり再生させる。また、音声合成回路１５は、スイッチ１６を介して定電圧回路４と接続されており、音声合成回路１５にマイコン１２から制御信号が供給されるときに、マイコン１２の制御によって、スイッチ１６がオンになり、音声合成回路１５が駆動可能な状態になる。
【００２８】
マイコン１２は、再生する音声データを特定するための制御信号Ｌｍを出力するとともに、制御信号Ｌ１〜Ｌ３をセットされているフラグに応じてオンにする。例えば、定速フラグ１３ｃがセットされている場合には制御信号Ｌ１をオンにし、低速フラグ１３ｄがセットされている場合には制御信号Ｌ２をオンにし、超低速フラグ１３ｅがセットされている場合には制御信号Ｌ３をオンにする。
音声合成回路１５は、マイコン１０からの制御信号Ｌｍに基づいて音声データメモリ１５ａから該当する音声データを読み込んで、その音声データを制御信号Ｌ１〜Ｌ３に基づいた再生速度で再生し、スピーカ１１に出力し、スピーカ１１は火災音声等の各種音声を出力する。
【００２９】
（点検手段）
火災警報器１００は、内部回路の点検として、電池電圧低下監視を行う。電池電圧低下監視は、電源監視回路２が、電池１の電圧値を検出することにより行う。具体的には、マイコン１２がスイッチ３をＯＮすると、電源監視回路２が駆動され、電源監視回路２が電池１の電圧値を検出する。電源監視回路２は、検出した電圧値をマイコン１２に出力し、マイコン１２は、検出された電圧値が所定の判別レベル以下であれば電池１の電圧が低下しているものと判断する。
【００３０】
なお、本実施の形態では内部回路の点検として電池電圧低下監視のみを行っているがこれは一例であり、サーミスタ６と抵抗７の間の電圧値を監視することによりサーミスタ６の断線（劣化）の点検を行ってもよい。また、スピーカ１１から音声出力がなされるか否かを試験することもできる。
【００３１】
音声出力停止スイッチ８は、警報音の出力を一定時間停止するために操作されるものであり、マイコン１２はこのスイッチの操作により警報音の出力を一定時間停止する。なお、この音声出力停止スイッチ８は、定速フラグ１３ｃ、低速フラグ１３ｄ及び超低速フラグ１３ｅの何れかをセットする操作部として機能する。或いは、点検手段による点検結果を音声出力させるための点検結果出力スイッチとしても機能させることができる。
【００３２】
このように構成された火災警報器１００は、監視領域である住居等の天井面に設置され、火災の監視を行う。
【００３３】
次に、火災警報器１００の動作を説明する。
図２は、火災警報器１００のメイン動作を示すフローチャートである。図３〜図５は、図２に示された各処理の詳細を示すフローチャートである。
【００３４】
まず、図２を参照して火災警報器１００のメイン動作を説明する。
電池１が装填されて電源が投入されると（Ｓ１）、マイコン１２は記憶部１３内の全てのフラグ（１３ａ〜１３ｅ）をクリアする（Ｓ２）。そして、定速フラグ１３ｃをセットし、デフォルトを設定する（Ｓ３）。マイコン１２は全タイマをクリアする（Ｓ４）。本実施の形態においてはタイマ部１４の５分間タイマ１４ａをクリアする。ここまでの処理が、電源投入時に行う初期処理である。
【００３５】
それ以降は、スイッチ入力判定（Ｓ５）、火災監視（Ｓ６）及び監視結果出力（Ｓ７）の一連の処理を繰り返し行う。
【００３６】
図３は、図２のスイッチ入力判定（Ｓ５）の処理を示すフローチャートである。
マイコン１２は、音声出力停止スイッチ８のスイッチ入力があるか否かを判断し（Ｓ５１）、スイッチ入力がなければ処理を終了する。音声出力停止スイッチ８のスイッチ入力がある場合には、火災フラグ１３ａがセットされているか否かを判断し（Ｓ５２）、火災フラグ１３ａがセットされている場合には、火災音声停止フラグ１３ｂをセットし（Ｓ５３）、処理を終了する。
【００３７】
マイコン１２は、音声出力停止スイッチ８のスイッチ入力があり（Ｓ５１）、火災フラグ１３ａがセットされていない場合には（Ｓ５２）、音声出力停止スイッチ８のスイッチ入力が１秒以上であるか否かを判断し（Ｓ５４）、１秒以上でない場合には低速フラグ１３ｄをセットし（Ｓ５５）、定速フラグ１３ｃ及び超低速フラグ１３ｅをクリアし（Ｓ５６）、火災音声（低速）を出力する（Ｓ５７）。この火災音声（低速）の出力に際しては、マイコン１２は、スイッチ１６をオンにして、つぎに、音声合成回路１５に対して火災音声の音声データを選択するための制御信号Ｌｍを出力するとともに、制御信号Ｌ２をオンにする。音声合成回路１５は音声データメモリ１５ａから該当する音声データを選択し、その音声データを低速で再生し、その再生信号をスピーカ１１から出力させる。
【００３８】
また、マイコン１２は、音声出力停止スイッチ８のスイッチ入力が１秒以上であると判断した場合には、スイッチ入力が３秒以上であるか否かを判断する（Ｓ５８）。スイッチ入力が３秒以上ではない場合には、マイコン１２は、超低速フラグ１３ｅをセットし（Ｓ５９）、定速フラグ１３ｃ及び低速フラグ１３ｄをクリアし（Ｓ５９Ａ）、火災音声（超低速）を出力する（Ｓ５９Ｂ）。この火災音声（超低速）の出力に際しては、マイコン１２は、スイッチ１６をオンにして、つぎに、音声合成回路１５に対して火災音声の音声データを選択するための制御信号Ｌｍを出力するとともに、制御信号Ｌ３をオンにする。音声合成回路１５は音声データメモリ１５ａから該当する音声データを選択しその音声データの再生を超低速にし、その再生信号をスピーカ１１から出力させる。
【００３９】
また、マイコン１２は、音声出力停止スイッチ８のスイッチ入力が３秒以上であると判断した場合には、定速フラグ１３ｃをセットし（Ｓ５９Ｃ）、低速フラグ１３ｄ及び超低速フラグ１３ｅをクリアし（Ｓ５９Ｄ）、火災音声（定速）を出力する（Ｓ５９Ｅ）。この火災音声（定速）の出力に際しては、マイコン１２は、スイッチ１６をオンにして、つぎに、音声合成回路１５に対して火災音声の音声データを選択するための制御信号Ｌｍを出力するとともに、制御信号Ｌ１をオンにする。音声合成回路１５は音声データメモリ１５ａから該当する音声データを選択しその音声データの再生を定速にし、その再生信号をスピーカ１１から出力させる。
【００４０】
以上のように、スイッチ入力判定（Ｓ５）においては、火災が発生している状態（火災フラグ１３ａがセットされている状態）で、音声出力停止スイッチ８のスイッチ入力があると、火災音声停止フラグ１３ｂをセットする。また、火災が発生していない状態（火災フラグ１３ａがセットされていない）において、音声出力停止スイッチ８が操作されると、低速フラグ１３ｄ、超低速フラグ１３ｅ及び定速フラグ１３ｃの何れかをセットすることができ（Ｓ５５、Ｓ５９、Ｓ５９Ｃ）、そのセット内容を確認することができる（Ｓ５７、Ｓ５９Ｂ、Ｓ５９Ｅ）。なお、音声出力停止スイッチ８が操作されていない場合には、上記の処理（Ｓ３）により定速フラグ１３ｃがセットされている。
【００４１】
図４は、図２の火災監視（Ｓ６）の処理を示すフローチャートである。
マイコン１０は、サーミスタ６と抵抗７との間の電圧値を取り込んで、その電圧値に基づき、火災が発生しているか否かを判断する（Ｓ６１）。サーミスタ６が加熱されて検出電圧値が上昇し、火災が発生していると判断した場合には、火災フラグ１３ａをセットし（Ｓ６２）、続いて、火災音声停止フラグ１３ｂがセットされているか否かを判断する（Ｓ６３）。火災音声停止フラグ１３ｂがセットされていない場合には後述のステップ（Ｓ６７）に移行するが、火災音声停止フラグ１３ｂがセットされている場合には、次に、５分間タイマ１４ａによるカウントが開始済みであるか否かを判断する（Ｓ６４）。５分間タイマ１４ａによるカウントが開始されていない場合には、５分間タイマ１４ａによるタイマカウントを開始する（Ｓ６５）。
【００４２】
５分間タイマ１４ａによるカウントが開始されている場合（Ｓ６４）及び５分間タイマ１４ａによるタイマカウントを開始した（Ｓ６５）後は、５分間タイマ１４ａによるカウント値が５分を経過したか否かを判断する（Ｓ６６）。５分を経過していない場合には処理を終了するが、５分を経過している場合には、５分間タイマ１４ａをクリアし（Ｓ６７）、火災音声停止フラグ１３ｂをクリアし（Ｓ６８）、処理を終了する。
【００４３】
また、上記の判断処理（Ｓ６１）において、火災が発生していないという判断をした場合には、火災フラグ１３ａをクリアし（Ｓ６９）、上記のステップ（Ｓ６７）に移行する。
【００４４】
図５は、図２の監視結果出力（Ｓ７）の処理を示すフローチャートである。
マイコン１２は、火災フラグ１３ａがセットされているか否かを判断し（Ｓ７１）、セットされていない場合には処理を終了する。火災フラグ１３ａがセットされている場合には、火災音声停止フラグ１３ｂがセットされているか否かを判断する（Ｓ７２）。火災音声停止フラグ１３ｂがセットされている場合には処理を終了する。
火災音声停止フラグ１３ｂがセットされていない場合には、定速フラグ１３ｃがセットされているか否かを判断し（Ｓ７３）、定速フラグ１３ｃがセットされている場合には、上記の処理により火災音声を定速で再生させる（Ｓ７４）。 定速フラグ１３ｃがセットされていない場合には、低速フラグ１３ｄがセットされているか否かを判断し（Ｓ７５）、低速フラグ１３ｄがセットされている場合には上記の処理により火災音声を低速で再生させる（Ｓ７６）。また 低速フラグ１３ｄがセットされていない場合には、超低速フラグ１３ｅのセット状態なので、上記の処理により火災音声を超低速で再生させる（Ｓ７７）。なお、処理（Ｓ７４）、（Ｓ７６）及び（Ｓ７７）においてはスイッチ１６がオン状態に制御される。
【００４５】
以上のように、電源が投入された後に繰り返し処理される、スイッチ入力判定（Ｓ５）、火災監視（Ｓ６）及び監視結果出力（Ｓ７）の各処理の詳細を説明したが、この処理を火災が発生していない状態及び発生している状態においてそれぞれ説明する。
【００４６】
（火災が発生していない状態）
（Ｓ５）
図３のスイッチ入力判定（Ｓ５）において、マイコン１２は、上記のスイッチ入力の判断（Ｓ５１）をするが、ここでスイッチ入力が無い場合には処理を終了する。
（Ｓ６）
図４の火災監視（Ｓ６）において、マイコン１２は、火災発生の有無を判断し（Ｓ６１）、この段階では、火災がまだ発生していないので、火災フラグ１３ａをクリアし（Ｓ６９）、５分間タイマ１４ａをクリアし（Ｓ６７）、火災音声停止フラグ１３ｂをクリアし（Ｓ６８）、処理を終了する。
(Ｓ７）
図５の監視結果出力（Ｓ７）において、火災フラグ１３ａがセットされていないので、マイコン１２は、判断処理（Ｓ７１）を行い、処理を終了する。
即ち、火災が発生していない状態においては、処理（Ｓ５１）、（Ｓ６１）、（Ｓ６９）、（Ｓ６７）、（Ｓ６８）及び（Ｓ７１）が繰り返して処理される。但し、音声出力停止スイッチ８が操作されていないものとする。
【００４７】
（火災が発生した場合）
（Ａ）火災発生時
（Ｓ５）
図３のスイッチ入力判定（Ｓ５）においては、マイコン１２は、上記のスイッチ入力の判断（Ｓ５１）をするが、ここでスイッチ入力が無い場合には処理を終了する。
（Ｓ６）
図４の火災監視（Ｓ６）において、マイコン１２は、火災発生の有無を判断し（Ｓ６１）、火災が発生している場合には、上記の処理（Ｓ６２）、（Ｓ６３）、（Ｓ６７）及び（Ｓ６８）を実行し、火災フラグ１３ａをセットし（Ｓ６２）、５分間タイマ１４ａをクリアし（Ｓ６７）、火災音声停止フラグ１３ｂをクリアし（Ｓ６８）、処理を終了する。
（Ｓ７）
図５の監視結果出力（Ｓ７）においては、火災フラグ１３ａがセットされており、火災音声停止フラグ１３ｂがセットされていない状態である。また、この段階では、例えば定速フラグ１３ｃがセットされているものとする。マイコン１２は、処理（Ｓ７１）、（Ｓ７２）、（Ｓ７３）、及び（Ｓ７４）を実行し、火災音声出力（定速）を出力させる（Ｓ７４）。なお、ここで、仮に、低速フラグ１３ｄがセットされている場合には、火災音声出力（低速）を出力させる（Ｓ７６）。また、超低速フラグ１３ｅがセットされている場合には、火災音声出力（超低速）を出力させる（Ｓ７７）。
【００４８】
（Ｂ）音声出力停止スイッチ８が操作された場合
ここで、火災が発生している状態で、音声出力停止スイッチ８が操作された場合について説明する。
（Ｓ５） 
図３のスイッチ入力判定（Ｓ５）においては、音声出力停止スイッチ８のスイッチ入力があり、火災フラグ１３ａがセットされている状態になっている。マイコン１２は、処理（Ｓ５１）、（Ｓ５２）及び（Ｓ５３）を実行し、火災音声停止フラグ１３ｂをセットする（Ｓ５３）。
（Ｓ６）
図４の火災監視（Ｓ６）においては、火災が発生し火災フラグ１３ａがセットされ、火災音声停止フラグ１３ｂがセットされて、５分間タイマ１４ａはタイマカウントを開始していない状態にある。このため、マイコン１２は、上記の処理（Ｓ６１）、（Ｓ６２）、（Ｓ６３）、（Ｓ６４）、（Ｓ６５）及び（Ｓ６６）を実行し、火災フラグ１３ａをセットし（Ｓ６２）、５分間タイマ１４ａのタイマカウントを開始する（Ｓ６５）。
（Ｓ７）
図５の監視結果出力（Ｓ７）においては、火災フラグ１３ａがセットされており、火災音声停止フラグ１３ｂがセットされている状態である。このため、マイコン１２は、処理（Ｓ７１）及び（Ｓ７２）を実行し、処理を終了する。したかって、音声出力停止スイッチ８が操作されて火災音声停止フラグ１３ｂがセットされると、火災音声を発生しない。
【００４９】
（Ｃ）音声出力停止スイッチ８が操作されて５分経過後
（Ｓ５）
図３のスイッチ入力判定（Ｓ５）においては、音声出力停止スイッチ８のスイッチ入力がないので、マイコン１２は、処理（Ｓ５１）を実行し、処理を終了する。
（Ｓ６）
図４の火災監視（Ｓ６）においては、火災発生の有無が発生しており、火災音声停止フラグ１３ｂがセットされており、５分間タイマ１４ａはタイマカウントを開始している状態にある。マイコン１２は、上記の処理（Ｓ６１）、（Ｓ６２）、（Ｓ６３）、（Ｓ６４）、（Ｓ６６）〜（Ｓ６８）を実行し、火災フラグ１３ａをセットし（Ｓ６２）、５分間タイマ１４ａをクリアし（Ｓ６７）、火災音声停止フラグ１３ｂをクリアする（Ｓ６８）。
（Ｓ７）
図５の監視結果出力（Ｓ７）においては、火災フラグ１３ａがセットされており、火災音声停止フラグ１３ｂがセットされていない状態である。マイコン１２は、処理（Ｓ７１）及び（Ｓ７２）を実行した後に、定速フラグ１３ｃ、低速フラグ１３ｄ及び超低速フラグ１３ｅの何れか、そのセットされているフラグに応じた処理（Ｓ７３〜Ｓ７７）を行い、火災音声を出力する。
【００５０】
以上のように本実施の形態において、火災検出部５が火災を検出したときに、定速フラグ１３ｃ、低速フラグ１３ｄ及び超低速フラグ１３ｅの何れか、セットされているフラグに対応した再生速度で火災音声をスピーカ１１から出力させることができ、ユーザーは再生速度を規定するフラグをセットすることで、音声の再生速度を任意に変更することができる。なお、詳細に説明しないが、火災音声以外の音声（点検異常音声）なども、セットされているフラグに対応した再生速度でスピーカ１１から出力させることができる。
【００５１】
また、本実施の形態においては、定速フラグ１３ｃ、低速フラグ１３ｄ及び超低速フラグ１３ｅの何れかをセットするための音声速度調節用の操作部として、音声出力手段による音声出力を停止するために操作される音声出力停止スイッチ８を利用しており、部品点数を増加させることなく、簡易な構成で音声の再生速度の調整が実現されている。
【００５２】
また、本実施の形態においては、音声出力停止スイッチ８の操作時間に応じて、音声データの再生速度をデフォルトから所定の再生速度に複数段階に切り替えて変更できることができるので、ユーザーは、音声の再生速度を複数段階に任意に切り替えて変更することができる。
【００５３】
また、本実施の形態においては、警報器の電源投入後又は火災が発生していない状態（火災フラグ１３ａがセットされていない状態）に、音声出力停止スイッチ８が操作されると、音声データの再生速度を任意の再生速度（定速、低速又は超低速）に切り替えて変更することができるので、ユーザーは、音声の再生速度を複数段階に切り替えて変更することができる。
【００５４】
また、本実施の形態においては、火災フラグ１３ａがセットされていない状態で、音声出力停止スイッチ８が操作されてフラグ（１３ｃ〜１３ｅ）がセットされると、マイコン１２は、セットされたフラグ（１３ｃ〜１３ｅ）の再生速度で音声を出力するようにしており、このため、ユーザーは、音声データの再生速度を切り替えたときに、再生音声を簡単に確認することができる。
【００５５】
また、本実施の形態においては、音声出力停止スイッチ８の操作により（Ｓ５８参照）、音声データの再生速度をそれまで設定されていた再生速度からデフォルト（定速）に戻すことが可能であり、再生速度をデフォルトに簡単に戻すことできる。
【００５６】
また、本実施の形態においては、音声再生速度の変更は、火災フラグ１３ａがセットされていない限り、電源投入時に限らず、設置後であっても可能である。
【００５７】
なお、上記の説明においては、再生速度を遅くする場合の例について説明したが、再生速度を早くする場合においても本発明は同様に適用される。
【００５８】
また、上記の説明においては、音声出力停止スイッチ８の操作時間に応じて、音声データの再生速度をデフォルトから所定の再生速度に複数段階に切り替えて変更できる例について説明したが、音声出力停止スイッチ８の操作回数に応じて、音声データの再生速度を複数段階に切り替えて変更できるようにしてもよい。例えば、所定時間内に１回、２回、３回操作された場合には、低速、超低速、定速に切り替えるようにする。
【００５９】
また、音声出力停止スイッチ８に操作については、通常操作では再生速度を切り替えることなく、特殊操作されたときに再生速度を切り替えるようにしてもよい。そして、通常操作では、現在設定されている再生速度に基づいて音声データを再生するようにしてもよい。このとき、特殊操作でも、上記の説明のように、再生速度を切り替え設定後に、現在設定されている再生音声に基づいて音声データを再生するようにしてもよい。
なお、音声出力停止スイッチ８の操作時間に応じて、音声データの再生速度を切り替える場合、通常操作とは例えば音声出力停止スイッチ８の短押し（図３のＳ５４のＮ）であり、特殊操作とは例えば音声出力停止スイッチ８の長押し（図３のＳ５４のＹ、Ｓ５８）である。また、音声出力停止スイッチ８の操作回数に応じて、音声データの再生速度を切り替える場合、通常操作とは例えば音声出力停止スイッチ８の所定時間内の１回操作であり、特殊操作とは例えば音声出力停止スイッチ８の所定時間内の複数回操作である。
【００６０】
また、上記の説明においては、再生速度を３段階にする例について説明したが、２段階以上であれば任意に設定することができる。
【００６１】
また、上記の説明においては、音声データメモリ１５ａを音声合成回路１５に設ける例について説明したが、音声データメモリ１５ａをマイコン１２の記憶部１３に設けるようにしてもよい。
【００６２】
また、図３のフローチャートにおいて、電源投入の初期段階において、音声出力停止スイッチ８が操作された場合には、処理（Ｓ４）の後で、デフォルト（定速）を所定の再生速度（例えば低速）に自動的に設定するようにしてもよい。
【００６３】
マイコン１２から音声合成回路１５に送る制御信号Ｌ１〜Ｌ３は、３本の制御線を用いた例が図示されているが（図１参照）、制御信号Ｌｍも含めて１本の信号線によって制御信号を送るようにしてもよい。
【００６４】
また、警報器として、火災警報器の例について説明したが、ガス漏れ警報器などのその他の警報器にも適用できる。また、火災警報器として、火災検出部が熱式のものを用いて説明したが、煙式などのその他の火災検出部にも適用できる。
【符号の説明】
【００６５】
１  電池、２  電源監視回路、３  スイッチ、４  定電圧回路、５  火災検出部、６  サーミスタ、７  抵抗、８  音声出力停止スイッチ、１１  スピーカ、１２  マイコン、１３  記憶部、１３ａ  火災フラグ、１３ｂ  火災音声停止フラグ、１３ｃ  定速フラグ、１３ｄ  低速フラグ  １３ｅ  超低速フラグ、１４  タイマ部、１４ａ  ５分間タイマ、１５  音声合成回路  １５ａ  音声データメモリ、１６  スイッチ、１００  火災警報器。
【図１】
2010224910.tif 000003
【図２】
2010224910.tif 000004
【図３】
2010224910.tif 000005
【図４】
2010224910.tif 000006
【図５】
2010224910.tif 000007